(57)【要約】【課題】  窓枠内を開閉する障子の錠本体と錠受けからなる錠装置を外観上視認できないものとして見栄えよく意匠性の高い窓構造を実現する窓構造を提供する。【解決手段】  窓枠１，４と障子２ｂからなり、前記障子２ｂを摺動させるレールを上下に備えた窓構造であって、前記レールの移動手段を備え、前記レールを障子パネル面に略垂直な方向に移動した後に、前記障子２ｂを前記レールに平行な方向に移動し開閉する窓構造において、前記窓枠１，４に前記錠本体が備わり、前記障子２ｂに前記錠受けが備わる。【選択図】        図１
2007056470.tif 000002
【特許請求の範囲】
【請求項１】
窓枠と障子からなり、前記障子を摺動させるレールを上下に備えた窓構造であって、
前記レールの移動手段を備え、前記レールを障子パネル面に略垂直な方向に移動した後に、前記障子を前記レールに平行な方向に移動し開閉する窓構造において、
前記窓枠に前記錠本体が備わり、前記障子に前記錠受けが備わることを特徴とする窓構造。
【請求項２】
前記錠装置は前記窓枠に複数個備わり、各錠装置は連動棒で連結されることを特徴とする請求項１に記載の窓構造。
【請求項３】
前記錠装置は前記窓枠の２辺以上に備わることを特徴とする請求項１又は２に記載の窓構造。
【請求項４】
前記錠装置と連動して前記レールが障子面に対して垂直方向に移動可能であることを特徴とする請求項１〜３のいずれかに記載の窓構造。
【発明の詳細な説明】
【技術分野】
【０００１】
本発明は、錠装置を外側から見えなくして意匠性を高め、錠操作と窓の開閉のための操作を１回の操作で可能とする窓構造に関する。
【背景技術】
【０００２】
引き違い窓の障子パネル（単にパネルともいう）の錠装置は、２枚の障子間の召し合わせ框の一方に操作用ハンドルを具備した錠本体を、他方に錠受けを設けて構成される。また、押し開いて開閉する窓の障子パネルの錠装置は、障子の縦框に操作用ハンドルを具備した錠本体を、相対する縦枠に錠受けを設けて構成される。このような窓構造は、錠装置が室外から視認できるため、見栄えが悪いものである。また、防犯上錠装置が外から視認できない方が望ましい。ここで、パネルとは一般的にガラス板などの採光性を有する板状部材の周辺を框で囲まれたものをいう。
【０００３】
サッシ用錠装置が特許文献１に記載されている。この錠装置は、召し合わせ框に備わる係止アームをたて骨に備わる錠突起に当接させて錠するものである。しかし、特許文献１のサッシ用錠装置は、錠装置自体が室外側から視認可能であり、特に召し合わせ框のように窓の中央部に錠装置があると見栄えが悪いものである。
【０００４】
窓障子の制御装置が特許文献２に記載されている。この窓障子は、縦框に取付けられたラッチと、縦枠に備わるラッチ受けで錠手段を構成する。このラッチは縦框内に形成され、ラッチ受けは縦枠内に形成されるため、室外側から視認できない。しかし、特許文献２の窓障子の制御装置に備わる錠手段は、開閉する窓の縦框にラッチを形成するため、縦框はラッチを収容できる程度の大きさが必要となる。したがって、框の大きさに制約が伴うため、デザイン的に優れたパネルを形成することができない。また、ラッチを縦框内に形成するため、その分窓障子の重量が大きくなり、パネルの開閉動作に大きな力を有する。特に、特許文献２のような伝動手段により２個のラッチを連結するような複雑な機構を縦框内に形成することは、このような問題を顕著にする。
【０００５】
【特許文献１】特開平５−２１４８５３号公報
【特許文献２】特開平５−１８１５３号公報
【発明の開示】
【発明が解決しようとする課題】
【０００６】
本発明は、窓枠内を開閉する障子の錠本体と錠受けからなる錠装置を外観上視認できないものとして見栄えよく意匠性の高い窓構造を実現する窓構造の提供を目的とする。特に窓を閉めた状態で隣り合う障子が同一平面上に形成される窓構造に適している。
【課題を解決するための手段】
【０００７】
前記目的を達成するため、請求項１の発明では、窓枠と障子からなり、前記障子を摺動させるレールを上下に備えた窓構造であって、前記レールの移動手段を備え、前記レールを障子パネル面に略垂直な方向に移動した後に、前記障子を前記レールに平行な方向に移動し開閉する窓構造において、前記窓枠に前記錠本体が備わり、前記障子に前記錠受けが備わることを特徴とする窓構造を提供する。
【０００８】
請求項２の発明では、請求項１の発明において、前記錠装置は前記窓枠に複数個備わり、各錠装置は連動棒で連結されることを特徴としている。
【０００９】
請求項３の発明では、請求項１又は２の発明において、前記錠装置は前記窓枠の２辺以上に備わることを特徴としている。
【００１０】
請求項４の発明では、請求項１〜３のいずれかの発明において、前記錠装置と連動して前記レールが障子面に対して垂直方向に移動可能であることを特徴としている。
【発明の効果】
【００１１】
請求項１の発明によれば、窓枠に錠本体が備わり、障子に錠受けが備わるため、錠本体と錠受けからなる錠装置を外部から視認しにくくできる。特に窓枠の可動部分は障子のような可動部分がないために錠装置の設置場所に自由度が得られる。このため、外観上見栄えのよい窓構造を得ることができる。また、複雑な機構を有する錠本体が窓枠に備わるため、障子（特に框部分）に錠本体を備えるスペースを確保する必要がなく、障子の構成が簡単なものとなり、障子のデザイン性の向上を図ることができる。また、障子に錠本体の重量が加重されないため、障子の開閉操作を小さな力で行うことができる。ここで、窓枠とは建物の壁材の開口部に設けられ、開口部周縁に接するものをいうが、接していなくても、開口部中間に設けた柱であるたて骨を含むものとする。また、発明の効果としてさらに、錠装置を枠内に収めることでより意匠性を上げ、防犯性も上げることができる。
【００１２】
請求項２の発明によれば、窓枠に複数個備わる錠本体と錠受けからなる錠装置が連動棒で互いに連結されるため、錠装置の開閉錠操作を１回の操作で行うことができる。したがって、迅速に錠装置の操作を行うことができ、操作性が向上する。また、錠装置や連動棒の少なくとも一方を枠内に収めることでより意匠性を上げ、防犯性も上げることができる。
【００１３】
請求項３の発明によれば、錠装置が窓枠の２辺以上に備わるため、１回の操作で窓枠の２辺以上に備わる複数個の錠装置の開閉錠操作を行うことができ、錠装置の操作性が高まる。また、防犯性能も上がる。
【００１４】
請求項４の発明によれば、開閉動作する障子を摺動させるために、上下の窓枠に備わるレールがその障子とともに錠装置の開閉錠操作と連動して障子面に対して垂直方向に移動する。このため、錠装置の操作と障子の開閉のための操作を１回の操作で行うことができ、さらに操作性を高めることができる。本発明では、ハンドルなどの操作部分が１つで済むために更に外観上見栄えがよく、意匠性が上がる。
【発明を実施するための最良の形態】
【００１５】
図１は本発明に係る窓構造の概略図である。
（Ａ）は窓枠と障子の外観を示す。なお、（Ａ）で示す窓枠や障子の形状、構造は本発明が適用される実施例の一例を示し、この実施例に限定されるものではない。建物外壁Ｗの開口部Ｋに窓枠１が取付けられる。この窓枠１内に障子２が取付けられる（図では２枚の障子２ａ，２ｂ）。この障子２は窓枠１に固定されたはめ殺しの固定障子２ａと引き違いスライド式の可動障子２ｂで構成される。窓枠１は、４辺の枠材と障子２ａ、２ｂ間に配されるたて骨４で構成される。可動障子２ｂはガラス板Ｇとその４側周縁に備わる框３で構成される。框３は上下の上框３ａ、下框３ｂ、右の縦框３ｃ及び左の召し合わせ框３ｄで構成される。
【００１６】
（Ｂ）は可動障子外周の枠の内部の概略図である。たて骨４には操作部５及び２つの錠装置６ａが備わり、操作部５と錠装置６ａは連動棒７で連結される。連動棒７は、たて骨４、上窓枠１ａ、下窓枠１ｂ及び縦窓枠１ｃに配設され、それぞれ窓枠の角部で板バネ８により連結される。縦窓枠１ｃにもそれぞれ連動枠７で連結された２個の錠装置６ｂが備わる。操作部５は、その上下端が連動棒７に連結される。連動棒７は、框３の４辺を周回するように一連一体としてコーナー部における板バネ８を介して連結されている。このために操作部５から見て、上方に連動棒７を押し上げると下方から連動棒７で押し上げられるので、操作部５に作用させる力が小さくても後述する錠装置の開閉操作、レールの前後操作が楽にできる。
【００１７】
このように、各連動棒７が板バネ８により連結されるため、例えば操作部５を上方に移動させたときに、たて骨４に備わる錠装置６ａもこれに伴いたて骨４内を上方に移動する。上窓枠１ａ内の連動棒７は縦窓枠１ｃ側（図の右側）に移動し、これに伴い縦窓枠１ｃ内の錠装置６ｂは下方に移動する。下窓枠１ｂ内の連動棒７はたて骨４側（図の左側）に移動する。操作部５を下方に移動すると、各連動棒７はこの逆に移動する。このような構成により、操作部５を操作するだけで、窓枠１内の全ての連動棒７を操作することができ、連動棒７と連動して動作する錠装置６ａ，６ｂも操作部５の操作で動作させることができる。したがって、窓枠１の２辺以上に備わる複数個の錠装置６ａ，６ｂを操作部５による１回の操作で同時に動作させることができ、開閉錠操作の操作性が高まる。なお、板バネ８には連動棒７への移動を確実に伝えるために、例えば内側に円弧状のガイド部材（不図示）等を設けることが好ましい。
【００１８】
図２は操作部５の拡大図である。操作部５はハンドル等の回転運動を連動棒７の上下運動に変えるための機構である。
（Ａ）は操作前、（Ｂ）は操作後の概略図である。操作部５は２枚の板材からなるカバー材９と、移動板１０と、回転板１１と、カム１２で構成される。２枚のカバー材９に移動板１０と回転板１１とカム１２が挟持されて構成される（図では上側のカバー材９のみ記載）。回転板１１の端部には、例えば操作ハンドル（不図示）の角軸１３が備わり、他方の端部でカム１２と連結される。カム１２の端部は丸軸１４を介して移動板１０と連結される。したがって、操作ハンドルを回転させて角軸１３を回転させると回転板１１が矢印Ｒ方向に回転する。これに伴い、カム１２が上方に移動し、カム１２と丸軸１４で連結される移動板１０も上方に移動する（矢印Ｕ）。移動板１０は連結部１５においてネジ等（不図示）により連動棒７と連結される。連動棒７を上下に移動できる機構であれば、例えばラックピニオン方式等、操作部５の構造はどのような構造でもよい。
【００１９】
図３は施錠時の錠装置の断面図であり、図４は開錠時の錠装置の断面図である。
図３、図４共に、縦窓枠１ｃ（図１参照）に備わる錠装置（図１の６ｂ）を例にして説明する。図３に示すように、縦窓枠１ｃの内部に板部材１６が固定される。この板部材１６に錠本体１７が角軸１８を支点に回動可能に取付けられる。錠本体１７の先端部１７ａはフック状に形成され、障子２ｂ（図１参照）の縦框３ｃの室内側の面に形成された錠受け１９と係合して施錠される。操作部５を操作してたて骨４（図１参照）の連動棒７を上方に移動させると、縦窓枠１ｃ内の連動棒７は下方に移動する。連動棒７の錠装置部分には連動補助板７ａが設置されて、連動補助板７ａには凸部２０が形成される。連動棒７の下降に伴い、凸部２０も下降し、錠本体１７の後端部１７ｂの突き当て面Ｓ１を下に押し、錠本体１７を角軸１８廻りに回転させる。
【００２０】
このとき、連動補助板７ａに形成されたガイド孔２１に沿って最初に角軸１８は回転することなくガイド孔２１内を上昇する。ガイド孔２１は幅広部２１ａとその上下の幅狭部２１ｂからなり、幅広部２１ａの幅Ｍは角軸１８の対角線の長さより長いものであり、幅狭部２１ｂの幅Ｎは角軸１８の１辺の長さと同程度の長さである。したがって、凸部２０の下降に伴って角軸１８は下側の幅狭部２１ｂから幅広部２１ａに移動し、この幅広部２１ａを通るため、自由に回転することができる。すなわち、錠本体１７は凸部２０に後端部１７ｂを押されて回転する。錠本体１７が回転すると、先端部１７ａが錠受け１９から開放されるため、開錠される（図４）。これにより、障子２ｂを窓枠１から開放することができる。
【００２１】
このように、錠本体１７は縦窓枠１ｃに、錠受け１９は縦框３ｃに形成されるので、外観上視認できず、見栄えのよい窓構造を得ることができる。また、障子の縦框３ｃには錠本体１７を備えるスペースを確保する必要がなく、錠受け１９のみを形成すればよいため、例えば框の幅を細くしてガラス板を大きくするような構成とすることができ、パネルの採光性を向上させることができ、意匠性も上げることができる。また、障子に錠本体１７の重量は加重されず、また、錠本体を収めるために框幅を太くすることがないために軽量化でき、障子の開閉操作を小さな力で行うことができる。
【００２２】
後述するように、連動棒７はこの後さらに下降する。このとき、角軸１８は連動補助板７ａに形成されたガイド孔２１の上側の幅狭部２１ｂを通って移動するため、角軸１８の回転が規制されるので、錠本体１７は回転しない。なお、図３、図４では障子に対して室内側から錠本体を回転させる錠装置（障子２ｂの框が窓枠１の周縁の室外側に重ねて装着される窓構造）を示したが、錠受けを框の外側面（図１（Ｂ）の錠装置６ｂに対しては右側の面）に設けて錠本体を障子の外周縁側から回転させる機構の錠装置（障子３が窓枠１の４辺の内側に嵌め込まれる窓構造）としてもよい。
【００２３】
図５（Ａ）〜（Ｃ）は開錠時の図３から図４に移行するまでの途中の状態を順番に示す。
（Ａ）は、凸部２０が連動棒７の下降とともに下降して、突き当て面Ｓ１に当接した状態を示す。ここに達するまで角軸１８は下側の幅狭部２１ｂ内を移動するだけであるので、ここまでは回転しない。したがって、錠本体１７も回転しない。この状態では、錠本体１７は図３と同じ状態で、施錠状態である。
【００２４】
（Ｂ）は、凸部２０が突き当て面Ｓ１を押し下げている途中の状態を示す。凸部２０は突き当て面Ｓ１に当接したまま、連動棒７の下降に伴って下降する。このとき、角軸１８は幅広部２１ａ内に移動するので、自由に回転できる。したがって、突き当て面Ｓ１の押し下げに伴い角軸１８が回転して錠本体１７が斜めに傾き、半分だけ開錠した状態となる。
【００２５】
（Ｃ）は、開錠された状態を示す。凸部２０が（Ｂ）の状態よりさらに下降して突き当て面Ｓ１を押し下げるため錠本体１７がさらに回転して、錠受け１９から外れて開錠状態になる。このとき、角軸１８は上側の幅狭部２１ｂ内に移動するため、これ以降凸部２０が連動補助板７ａとともに下降しても角軸１８は上側の幅狭部２１ｂ内を上側に移動するだけであるので、回転しない。したがって、錠本体１７はこれ以上連動棒７及び連動補助板７ａが下降しても回転しない。これにより、後述するように（図６参照）、窓の開閉のための機構としてさらに連動棒７を下降させても、すなわち、凸部２０が突き当て面Ｓ１から離れてさらに下降しても、角軸１８が回転することはなく、開錠状態を保持することができる。なお、施錠時には凸部２０が上昇して突き当て面Ｓ２を押し、上述した開錠と逆の動作をする。
【００２６】
図６は下窓枠の連動棒と障子のレールからなる機構を示す平面図である。この機構は連動棒７の動きを連動棒７に略垂直方向の動きに変換する機構である。この機構により、レールを障子パネルに略垂直に移動することができる。
（Ａ）はカムの回転前、（Ｂ）は回転後を示す。連動棒７には凸部２２が突出して形成される。図の点線で示す凸部２２が施錠状態の位置にある凸部である。上述したように、錠装置を開錠操作すると、連動棒が移動し、図の実線の位置まで凸部２２が移動する。すなわち、距離Ｓが錠装置６の開錠に必要な連動棒７の移動距離である。開錠操作が終わり、さらに操作ハンドルを回転させると、下窓枠１ｂ（図１参照）の連動棒７はたて骨４側（矢印Ｌ）に移動する。これに伴い、凸部２２は下窓枠１ｂに固定されるカム２３を押す。カム２３は軸２４を支点に回動可能であり、凸部２２に押されることにより矢印Ｔ方向に回転する。カム２３の先端には回転板２６が設けられる。回転板２６は、その上のレール２５に設置された回転板受けである溝（図示せず）に取付けられる。したがって、レールは室外側に押し出されて、隣り合う障子と前後に段違いとなるため、障子２ｂ（図１参照）をレールに沿って開閉することができる。なお、上窓枠１ａに備わるレールも同様の構造である。なお、図５Ａの状態では、凸部２２がカム２３の逆回転防止の役割も果たす。
【００２７】
このような窓を閉めた状態で隣り合う障子が同一平面上に形成される窓構造において、上窓枠及び下窓枠に備わる一方の障子を摺動させるレール２５が錠装置の開閉錠操作と連動して移動するため、錠装置の操作とレールの移動操作を操作部による１回の操作で行うことができる。また、レールの移動操作部と錠の開閉操作部を１つの操作部５のみにすることができるために意匠性の向上、部品数の低減、枠に設置した場合での省スペース化などが可能である。
【産業上の利用可能性】
【００２８】
本発明は、錠装置を備える窓構造に適用できる。
【図面の簡単な説明】
【００２９】
【図１】本発明に係る窓構造の概略図。
【図２】操作部の拡大図。
【図３】施錠時の錠装置の断面図。
【図４】開錠時の錠装置の断面図。
【図５】開錠時の図３から図４に移行するまでの途中の状態を順番に示す説明図。
【図６】下窓枠の連動棒と障子のレールからなる機構を示す平面図。
【符号の説明】
【００３０】
１：窓枠、２（２ａ，２ｂ）：障子、３：框、３ａ：上框、３ｂ：下框、３ｃ：縦框、３ｄ：召し合わせ框、４：たて骨、５：操作部、６ａ，６ｂ：錠装置、７：連動棒、７ａ：連動補助板、８：板バネ、９：カバー材、１０：移動板、１１：回転板、１２：カム、１３：角軸、１４：丸軸、１５：連結部、
１６：板部材、１７：錠本体、１８：角軸、１９：錠受け、２０：凸部、２１：ガイド孔、２１ａ：幅広部、２１ｂ：幅狭部、２２：凸部、２３：カム、２４：軸、２５：レール、２６：回転板、Ｓ１，Ｓ２：突き当て面。
【図１】
2007056470.tif 000003
【図２】
2007056470.tif 000004
【図３】
2007056470.tif 000005
【図４】
2007056470.tif 000006
【図５】
2007056470.tif 000007
【図６】
2007056470.tif 000008